(57)【要約】【課題】フィルタグリルの裏面にプレフィルタを容易に着脱できるようにした空気調和機のエアフィルタ装置を提供する。【解決手段】フィルタグリル９の裏面には、挿脱口を臨ませた上下一対のガイド溝７を備えた枠体８を備え、他側には、設けられた縦長状の凹陥部を備えている。前記凹陥部に対応してプレフィルタ１７に設けられた把手部１５を、その一側面および上下面が前記凹陥部に隙間なく収容されて位置決めすると共に、前部が前記枠体８の前方に突出するように形成した。【選択図】　図３
2004053193.tif 000002
【特許請求の範囲】
【請求項１】
本体の室内側前面に装着され、他側に縦長状の凹陥部および挿脱口を備え、通気孔を形成して上下に延びる連結桟により連結された複数の横桟と、裏面側に前記挿脱口を臨ませた上下一対のガイド溝を備えた枠体とからなるフィルタグリルを備えた吸込口を一側に設け、他側上部に吹出口を設け、他側下部に操作部を設けた前面パネルと、前記フィルタグリルの裏面に、前記挿脱口から挿入されると共に、前記ガイド溝によって導入され保持される枠状のフレームと、同フレームに連続形成され、前記凹陥部に出し入れ可能に収容される把手部と、前記フレームに一体成形された塵埃防止用のフィルタ材とからなるプレフィルタとで構成され、
前記把手部は、その一側面および上下面が前記凹陥部に隙間なく収容されて位置決めされると共に、前部が前記枠体の前方に突出するように形成されてなることを特徴とする空気調和機のエアフィルタ装置。
【請求項２】
前記ガイド溝および前記フレームに、前記把手部の一側面および上下面を前記凹陥部に隙間なく収容した位置で、相互に係脱可能に係止する凹凸状の係止部を設けてなることを特徴とする請求項１に記載の空気調和機のエアフィルタ装置。
【請求項３】
前記凹凸状の係止部が、前記ガイド溝の底部に円弧状に形成された凹部と、これに対応して、前記フレームに空隙を底部に備えて円弧状に形成された凸部とからなることを特徴とする請求項２に記載の空気調和機のエアフィルタ装置。
【請求項４】
前記凹凸状の係止部が複数設けられてなることを特徴とする請求項２または請求項３に記載の空気調和機のエアフィルタ装置。
【請求項５】
前記凹凸状の係止部が、上下に相対向する位置に設けられてなることを特徴とする請求項３または請求項４に記載の空気調和機のエアフィルタ装置。
【発明の詳細な説明】
【０００１】
【発明の属する技術分野】
本発明は、空気調和機のエアフィルタ装置に係わり、より詳細には、フィルタグリルの裏面にプレフィルタを容易に着脱できるようにした構造に関する。
【０００２】
【従来の技術】
従来の空気調和機のエアフィルタ装置は、例えば特開２００１−２２７８１４号公報に記載されているように、「本体前面の吸込口裏面側に外部から着脱可能に装着され、通気孔を形成する複数の横桟と、同横桟の両側を接続して裏面側の左右に対をなす上下一対のフィルタ係止爪を備えた枠体と、前記複数の横桟の裏面に接続されるとともに、前記枠体の裏面側の上下部に両端が接続されたグリルリブとからなるフィルタグリルと、同フィルタグリルの裏面に収容されて前記フィルタ係止爪により係止される枠状のフレームと、同フレームの少なくとも上下部に両端が接続されたフレームリブと、これらフレームおよびフレームリブに一体成形された塵埃防止用のフィルタ材とからなるプレフィルタとで構成され、前記プレフィルタを、前記枠体内に収容して前記フィルタ係止爪により係止した際、前記グリルリブが前記プレフィルタの一部を押圧するように形成した」構成が開示されている。
【０００３】
これにより、前記プレフィルタと、これを収容する前記フィルタグリルとの間に隙間が生じないようになり、前記本体の運転によって、該個所にガタによるビビリ音を生じさせないという効果を奏する反面、前記プレフィルタが前記フィルタ係止爪によって係止されていることから、例えばメンテナンス時に前記プレフィルタを着脱する際、容易に着脱することができず作業性が悪いという問題点を有していた。
【０００４】
【発明が解決しようとする課題】
本発明は、上記問題点に鑑み、フィルタグリルの裏面にプレフィルタを容易に着脱できるようにした空気調和機のエアフィルタ装置を提供することを目的とする。
【０００５】
【課題を解決するための手段】
本発明は、上記課題を解決するため、本体の室内側前面に装着され、他側に縦長状の凹陥部および挿脱口を備え、通気孔を形成して上下に延びる連結桟により連結された複数の横桟と、裏面側に前記挿脱口を臨ませた上下一対のガイド溝を備えた枠体とからなるフィルタグリルを備えた吸込口を一側に設け、他側上部に吹出口を設け、他側下部に操作部を設けた前面パネルと、前記フィルタグリルの裏面に、前記挿脱口から挿入されると共に、前記ガイド溝によって導入され保持される枠状のフレームと、同フレームに連続形成され、前記凹陥部に出し入れ可能に収容される把手部と、前記フレームに一体成形された塵埃防止用のフィルタ材とからなるプレフィルタとで構成され、
前記把手部は、その一側面および上下面が前記凹陥部に隙間なく収容されて位置決めされると共に、前部が前記枠体の前方に突出するように形成されてなる構成となっている。
【０００６】
また、前記ガイド溝および前記フレームに、前記把手部の一側面および上下面を前記凹陥部に隙間なく収容した位置で、相互に係脱可能に係止する凹凸状の係止部を設けてなる構成となっている。
【０００７】
また、前記凹凸状の係止部が、前記ガイド溝の底部に円弧状に形成された凹部と、これに対応して、前記フレームに空隙を底部に備えて円弧状に形成された凸部とからなる構成となっている。
【０００８】
また、前記凹凸状の係止部が複数設けられてなる構成となっている。
【０００９】
更に、前記凹凸状の係止部が、上下に相対向する位置に設けられてなる構成となっている。
【００１０】
【発明の実施の形態】
以下、本発明の実施の形態を図面に基づいた実施例として詳細に説明する。
図１は本発明による空気調和機のエアフィルタ装置が使用された一体型空気調和機の斜視図であり、図２は本発明による空気調和機のエアフィルタ装置の説明図で、（Ａ）はフィルタグリルの正面図、（Ｂ）はフィルタグリルの側面図、（Ｃ）はフィルタグリルの裏面図であり、図３は本発明による空気調和機のエアフィルタ装置の説明図で、（Ａ）は裏面にプレフィルタを収容したフィルタグリルの正面図、（Ｂ）は裏面にプレフィルタを収容したフィルタグリルの側面図、（Ｃ）は裏面にプレフィルタを収容したフィルタグリルの裏面図であり、図４は本発明による空気調和機のエアフィルタ装置の要部説明図で、（Ａ）はフィルタグリルおよびプレフィルタを示す斜視図、（Ｂ）は係止部を構成する凹部の正面図、（Ｃ）は係止部を構成する凸部の正面図であって（Ａ）で示したＡ部の詳細図である。
【００１１】
図で示すように、本発明による空気調和機のエアフィルタ装置が使用される一体型空気調和機には、本体１の室内側前面に、他側に縦長状の凹陥部２および挿脱口３を備え、通気孔４を形成して上下に延びる連結桟５により連結された複数の横桟６と、裏面側に前記挿脱口３を臨ませた上下一対のガイド溝７を備えた枠体８とからなるフィルタグリル９を備えた吸込口１０を一側に設け、他側上部に吹出口１１を設け、他側下部に凹陥状の操作部１２を設けた前面パネル１３が装着されている。
【００１２】
前記フィルタグリル９の裏面には、前記挿脱口３から挿入されると共に、前記ガイド溝７によって導入され保持される枠状のフレーム１４と、同フレーム１４に連続形成され、前記凹陥部２に出し入れ可能に収容される把手部１５と、前記フレーム１４に一体成形された塵埃防止用のフィルタ材１６とからなるプレフィルタ１７が着脱可能に装着されている。
【００１３】
前記フィルタグリル９は、前記前面パネル１３に一側に設けられた前記吸込口１０に対して図示しない着脱部で着脱自在に装着されるようになっており、例えばメンテナンス時には、前記フィルタグリル９を取り外すことによって、同フィルタグリル９といっしょに前記プレフィルタ１７が前記吸込口１０から取り外され、そのあと、同フィルタグリル９から前記プレフィルタ１７が取り外されるようになっている。
【００１４】
上記構成により、前記プレフィルタ１７は、前記フィルタグリル９の他側であって、前記吹出口１１および前記操作部１２側に設けられた前記挿脱口３から挿脱可能に挿入され、前記ガイド溝７によって導入され保持されるようになっている。
【００１５】
これにより、前記吸込口１０から吸い込まれる吸込空気が、前記プレフィルタ１７によって清浄化されたのち、本体１内部に設けられた熱交換器（図示せず）で熱交換され、前記吹出口１１から被空気調和室に向けて吹き出されるようになっている。
【００１６】
次に、前記プレフィルタ１７が、前記フィルタグリル９の裏面に容易に挿脱できるようにし、且つ正確に位置決めして保持できるようにした構成について説明する。
【００１７】
前記プレフィルタ１７を前記挿脱口３から挿脱する際、同挿脱口３に対して前記吹出口１１および前記操作部１２の表面を少し後部に位置させることにより、該個所に段部をもたせているので円滑に挿脱できるようになっている。
【００１８】
前記プレフィルタ１７は、その上下先端部を、前記凹陥部２を形成したことによって、また図２（Ａ）および図２（Ｃ）で示すように、上下中央部が深くなるように湾曲させたことによって、前記ガイド溝７に対し容易に位置合わせすることができて挿入しやすくなっている。
【００１９】
前記プレフィルタ１７は、前記ガイド溝７により前記フィルタグリル９の裏面に円滑に導入されたのち、図３（Ａ）乃至図３（Ｃ）で示すように、前記把手部１５の一側面および上下面を前記凹陥部２に隙間なく収容することによって位置決めされるようになっており、これによって、前記プレフィルタ１７がガタつくことがない。
【００２０】
また、前記把手部１５は、その前部が前記枠体８の前方に突出するように形成されているので、該個所に手指を掛けやすくなり、容易に取り外すことができるようになっている。
【００２１】
以上の構成により、次にその動作について説明する。
前記前面パネル１３の吸込口１０から取り外された前記フィルタグリル９に対し、その裏面に前記プレフィルタ１７を挿入して保持する際、図２（Ａ）および図２（Ｃ）で示す前記挿脱口３から前記プレフィルタ１７の先端部を挿入して、同プレフィルタ１７を構成する前記フレーム１４を前記ガイド溝７に係合する。
【００２２】
前記ガイド溝７により導入された前記プレフィルタ１７は、図３（Ａ）乃至図３（Ｃ）で示すように、前記把手部１５の一側面および上下面を前記凹陥部２に隙間なく収容することによって位置決めされる。
【００２３】
また、前記プレフィルタ１７を取り外す時には、前記フィルタグリル９を保持した状態で前記把手部１５に手指を掛けて横方向に引くことにより、簡単に取り外しできるようになり、これによって、上記に説明した従来技術のように、前記プレフィルタが前記フィルタ係止爪によって係止されていることから、例えばメンテナンス時に前記プレフィルタを着脱する際、容易に着脱することができず作業性が悪いという問題点を解決できる。
【００２４】
また、前記ガイド溝７および前記フレーム１４に、前記把手部１５の一側面および上下面を前記凹陥部２に隙間なく収容した位置で、前記ガイド溝７の底部に円弧状に形成された凹部１８ａ　と、これに対応して前記フレーム１４に円弧状に形成された凸部１８ｂ　とからなり、相互に係脱可能に係止する係止部１８を設けたことによって前記プレフィルタ１７を更に強固に保持し、且つ正確に位置決めできる。
【００２５】
なお、前記凸部１８ｂ　は、図４（Ｃ）で示す空隙１９を底部に備えたことによって弾性変形させやすくなっており、前記ガイド溝７をスライドする時の摩擦抵抗を低減させる一方、前記凹部１８ａ　に対しては適正な押圧力を有して係止される。
【００２６】
または、前記係止部１８は、図４（Ａ）のＡ部で前記凸部１８ｂ　を示すように上下に相対向する位置に設けることによって、前記プレフィルタ１７を更に効果的に保持し、且つ正確に位置決めできる。
【００２７】
【発明の効果】
以上説明したように、本発明によると、フィルタグリルの裏面にプレフィルタを容易に着脱できるようにした空気調和機のエアフィルタ装置となる。
【図面の簡単な説明】
【図１】本発明による空気調和機のエアフィルタ装置が使用された一体型空気調和機の斜視図である。
【図２】本発明による空気調和機のエアフィルタ装置の説明図で、（Ａ）はフィルタグリルの正面図であり、（Ｂ）はフィルタグリルの側面図であり、（Ｃ）はフィルタグリルの裏面図である。
【図３】本発明による空気調和機のエアフィルタ装置の説明図で、（Ａ）は裏面にプレフィルタを収容したフィルタグリルの正面図であり、（Ｂ）は裏面にプレフィルタを収容したフィルタグリルの側面図であり、（Ｃ）は裏面にプレフィルタを収容したフィルタグリルの裏面図である。
【図４】本発明による空気調和機のエアフィルタ装置の要部説明図で、（Ａ）はフィルタグリルおよびプレフィルタを示す斜視図であり、（Ｂ）は係止部を構成する凹部の正面図であり、（Ｃ）は係止部を構成する凸部の正面図であって（Ａ）で示したＡ部の詳細図である。
【符号の説明】
１　一体型空気調和機本体
２　凹陥部
３　挿脱口
４　通気孔
５　連結桟
６　横桟
７　ガイド溝
８　枠体
９　フィルタグリル
１０　吸込口
１１　吹出口
１２　操作部
１３　前面パネル
１４　フレーム
１５　把手部
１６　フィルタ材
１７　プレフィルタ
１８　係止部
１８ａ　凹部
１８ｂ　凸部
１９　空隙
【図１】
2004053193.tif 000003
【図２】
2004053193.tif 000004
【図３】
2004053193.tif 000005
【図４】
2004053193.tif 000006